(57)【要約】【解決手段】送信機上書き保護のあるオペレータ装置34は複数の異なる送信機40、42、44とともに使用される。各タイプの送信機は、少なくとも送信機識別コードを含む信号を、作動時に発生する少なくともひとつの命令ボタンを有する。オペレータシステムは複数の送信機からの信号を受信することができる受信機170、および複数の記憶位置63a−fを有するメモリー装置62を含む。制御器60が受信機に接続され、制御器は各送信機識別コードを、対応する記憶位置に記憶する。制御器は、複数の送信機の、ひとつの特定のタイプに  対する送信機識別コードを除き、複数の記憶位置が完全に占められた場合、新しい送信機識別コードを突き止めたとき、送信機識別コードのひとつを対応する記憶位置に上書きする。特定タイプの送信機はひとつ以上の機能ボタンを有する壁ステーション送信機42であってもよい。異なるタイプの送信機は、対応する上書き優先順位をもつことができる。
2005527164.tif 000002
【特許請求の範囲】
【請求項１】
送信機の上書き防止を行うオペレータ装置であって、
作動したとき、少なくとも送信機識別コードを含む信号を発生する、少なくともひとつの機能ボタンをそれぞれが有する、複数の異なる送信機と、
前記複数の送信機のどらもからの前記信号を受信できる受信機と、
複数の記憶位置をもつメモリーと、
前記送信機識別コードを前記複数の記憶位置の対応するひとつに記憶する、前記受信機に接続される制御器と、
を含み、
前記制御器は、前記複数の送信機の特定のひとつのタイプに対する、前記複数の記憶位置の前記送信機の識別コードの除き、前記送信機識別コードを前記複数の記憶位置の対応する一つに、前記複数の記憶位置が完全に占められている場合、新しい送信機識別コードが突き止められるとき、上書きする、ところのオペレータ装置。
【請求項２】
前記複数の異なる送信機は、ポータブル送信機、壁ステーション送信機、およびキーパッド送信機からなるグループから選択される、請求項１に記載のオペレータ装置。
【請求項３】
前記複数の送信機の前記ひとつの特定のタイプのものが前記壁ステーション送信機である、請求項２に記載のオペレータ装置。
【請求項４】
前記複数の送信機の前記ひとつの特定のタイプのものが複数の異なる機能ボタンを有する壁ステーション送信機である、請求項１に記載のオペレータ装置。
【請求項５】
前記制御器は、前記壁ステーション送信機識別コードを、前記複数の記憶位置の対応するひとつに、上書き防止とともに記憶する、請求項４に記載のオペレータ装置。
【請求項６】
前記特定のタイプのものでない、前記複数の送信機の前記送信機識別コードは、前記制御器により、前記複数の記憶位置の前記対応するひとつに、上書き防止なしで記憶される、請求項５に記載のオペレータ装置。
【請求項７】
前記制御器は、前記複数の記憶位置が壁ステーション送信機識別コードで完全に占められている場合、前記新しい送信機識別コードのどれも拒絶する、請求項１に記載のオペレータ装置。
【請求項８】
可動なバリアーのオペレータ装置により記憶される送信機コードを保護する方法であって、
オペレータ装置に信号送信を受信できる受信機をもつ制御器を用意する工程と、
複数の記憶位置をもつ、前記制御器に接続されるメモリー装置を用意する工程と、
前記信号内に含まれる送信機識別コードをそれぞれ有する、複数の異なる送信機のひとつを突き止める工程と、
前記送信機識別コードのそれぞれを前記複数の記憶位置の対応するひとつに記憶する工程と、
前記複数の送信機のひとつの特定のタイプに対する、前記複数の記憶位置の前記送信機の識別コードの除き、前記送信機識別コードを前記複数の記憶位置の対応する一つに、前記複数の記憶位置が完全に占められている場合、新しい送信機識別コードが突き止められるとき、上書きする工程と、
を含む方法。
【請求項９】
さらに、複数の異なる機能ボタンを有する、前記複数の異なる送信機の前記特定のタイプのものを用意する工程を含む、請求項８に記載の方法。
【請求項１０】
前記複数の異なる送信機は、ポータブル送信機、壁ステーション送信機、およびキーパッド送信機からなるグループから選択される、請求項９に記載の方法。
【請求項１１】
前記特定のタイプの送信機は壁ステーション送信機である、請求項９に記載の方法。
【請求項１２】
さらに、前記壁ステーションの送信機識別コードを上書き防止とともに記憶する工程を含む、請求項１に記載の方法。
【請求項１３】
さらに、前記壁ステーション送信機に関連した送信機識別コードを上書き防止とともに記憶する工程を含む、請求項１２に記載の方法。
【請求項１４】
さらに、前記複数の記憶位置が壁ステーション送信機識別コードで占められている場合、その新しい送信機識別コードを拒絶する工程を含む、請求項１３に記載の方法。
【請求項１５】
可動なバリアーオペレータシステムであって、
送信機識別コードをそれぞれ有する、可動なバリアーを作動させるための複数の送信機と、
複数の記憶位置をもつメモリー装置を有する制御器と、
を含み、
前記送信機識別コードの一方が前記送信機識別コードの他方より優先する優先順位をもち、
前記制御器は前記送信機識別コードを受信し、前記記憶位置に記憶し、
優先順位をもつ送信機識別コードは他の送信機識別コードにより決して上書きさらない、オペレータシステム。
【請求項１６】
前記制御器は、前記複数の記憶位置が完全に占められるまで、受信した前記送信機識別コートのすべてを記憶する、請求項１５に記載のオペレータシステム。
【請求項１７】
前記制御器は、新しい優先順位をもつ送信機識別コードが受信されたとき、前記メモリー装置内の前記他方の送信機識別コードのひとつを上書きする、請求項１６に記載のオペレータシステム。
【請求項１８】
前記制御器は、新しい優先順位をもつ送信機識別コードが前記受信機により受信されたき、前記優先順をもつ送信機識別コードのひとつを上書きする、請求項１７に記載のオペレータシステム。
【請求項１９】
前記複数の送信機は、壁ステーション送信機、キーパッド送信機およびポータブル送信機からなるグループから選択される、請求項１５に記載のオペレータシステム。
【請求項２０】
前記壁ステーション送信機は最も高い優先順位をもち、前記キーパッド送信機は次ぎに高い優先順位をもち、前記ポータブル送信機は最も低い優先順位をもつ、請求項１９に記載のオペレーションシステム。
【発明の詳細な説明】
【技術分野】
【０００１】
本発明は、一般的に、固定部材に対して可動な閉鎖部材に使用するガレージドアオペレータシステムに関する。特に、本発明は、いくつかの異なる送信機のタイプに対して送信機コードを記憶するオペレータシステムに関する。とりわけ、本発明は、あるタイプの送信機コードが他の送信機のコードで上書きされまたは置き換えられることを防ぐオペレータシステムに関する。
【背景技術】
【０００２】
便利さを図るために、ガレージドアの開閉移動をなすために、モータを利用するガレージドアが広く知られている。モータはまた、ゲート、窓、格納式オーバーハングなどといった、他のタイプの可動なバリアーに連結されている。ドアに関し、モータおよび関連した機能を制御するために、オペレータ装置が使用されている。バリアーを検知する目的で、オペレータに接続される安全装置を設けることは知られおり、その結果オペレータは、バリアーの取り込みを避けるべく、モータの動作を修正する。
【０００３】
オペレータ装置が所望の動作の開始を指示するために使用することができる、三つの基本的な送信機がある。ポータブルまたはリモート送信機は、通常、使用者が車の中にいて、中からドアを開閉することができるようにするものである。ポータブル送信機はいくつかのボタンを有し、各ボタンは異なるドアの動作に関連する。壁ステーション送信機は通常、使用者が必要なときに、ドアを開閉することができるようにガレージの内側ドアの近くに取り付けてある。壁ステーション送信機は、ドアを遅らせて閉じるようにすること、ペットの高さを設定すること、その他の機能をもつようにオペレータ装置をプログラムすることができる機能ボタンを有してもよい。他のタイプの送信機はキーパッド（典型的にガレージの外に設けられる）で、これは開閉信号を送信する前に、コードの手動入力を必要とするものである。これらのリモート装置は、複数のドア、ドアと関連した光を制御することができる付加的な特徴、その他の特徴を備えることもできる。
【０００４】
送信機がオペレータ装置と協働して、ガレージドアの移動を制御すべく、オペレータ装置は各送信機に対して、特定の連続番号コードを突き止める（learn）ために、プログラムされなければならない。以前は、無線制御は、送信機および受信機の両方のために、データをセットするための、テン回路DIPスイッチのようなコードセット可能なスイッチを利用していた。送信機および受信機のコードスイッチの両方は、送信機が受信機の出力を作動させるために、整合しなければならない。この技術は、十分にユニークなコード化を可能とせず、コードのコピー、不正なアクセスが比較的容易である。したがって、この方法は、ガレージのドアの作動のために、送信機および受信機のコードのセットを、同じセットに切り換えることを必要とする。
【０００５】
現在、ガレージドアの無線制御の多くは、固定コードフォーマット（各送信に対して同じデータが送られる）、またはローリングコードフォーマット（送信毎に、データの一部または全部が変わる）のいずれかを使用する。製品の製造の間、固定コード送信機（固定アドレスまたは固定連続番号送信機としても知られている）が指定され、送信機の不揮発性メモリー内に工場にてプログラムされている。このことは、可能なコードの数を（1024または19,683から百万に）増加させ、DIPスイッチをなくした。このことはまた、コードが、DIPスイッチ送信機の場合にように、可視的になることを防止し、したがってコードの盗難を防止している。
【０００６】
ローリングコード送信機は固定コード送信機と類似するが、しかし、少なくともアドレスの一部（コードまたは連続番号として知られている）は送信機の操作毎に変化する。送信機および対応する受信ユニットは、送信/受信のための次のコードが何であるかを判定するためのアルゴリズムを使用する。適切なコードののみが受信機を作動させる。
【発明の開示】
【発明が解決しようとする課題】
【０００７】
従来より知られているように、送信機に応答するように、オペレータ装置をプログラムするいくつかの異なる方法がある。プログラムモードを入れるひとつの方法は、オペレータ装置に直接関連したボタンを作動させ、オペレータ装置が送信機の連続番号を突き止めるように、送信機のボタンを作動させることである。連続番号がどのように突き止められるかに関係なく、オペレータ装置は入ってきた連続番号を記憶する。オペレータ装置が送信機の連続番号で完全に占められたとき、新しい送信機をプログラムするときに問題が生じる。既知のオペレータシステムにおいて、オペレータ装置は単に、前に記憶した送信機の連続番頭を上書きする。このことは、壁ステーション送信機が、ガレージドアオペレータシステムの作動のために、使用される余分な機能を含むことから、壁ステーションの送信コードは上書きされ、または除去されるときに、問題となる。したがって、従来技術では、壁ステーションの送信コードの除去が、オペレータ装置とともに使用される新しい送信機のコードをプログラムするときに、不十分とならないようにすることが必要である。
【課題を解決するための手段】
【０００８】
本発明の態様のひとつは、以下の説明で明らかになろうが、複数の異なる送信機、複数の送信機からの信号を受信することができる受信機、複数の記憶位置をもつメモリーおよび受信機に接続される制御器を含む、送信機上書き防止を行うオペレータ装置により達成され、送信機のそれぞれは、少なくとも送信機を識別するコードを含む信号を作動時に発生する、少なくともひとつの命令ボタンを有し、制御器は、各送信機の識別コードを複数の記憶位置の対応するひとつに記憶し、制御器は、複数の送信機の一つの特定のタイプに対する送信機識別コードを除き、複数の記憶位置が完全に占められている場合、新しい送信機の識別コードが突き止められるとき、送信機識別コードのひとつを、複数の記憶位置の対応するひとつに上書きする。
【０００９】
本発明の他の態様は可動なバリアーオペレータ装置により記憶された送信機コードを保護する方法で、オペレータ装置に、信号の送信を受信することができる受信機を用意すること、複数の記憶位置を有する、制御器に接続されるメモリー装置を用意すること、信号内に含まれる送信機識別コードをそれぞれ有する、複数の異なる送信機のひとつを突き止めること、各送信機識別コードを、複数の記憶位置の対応するひとつに記憶すること、および複数の送信機の一つの特定のタイプに対する送信機識別コードを記憶する複数の記憶位置を除き、複数の記憶位置が完全に占められている場合、新しい送信機が突き止められるとき、新しい送信機識別コードで、複数の記憶位置のひとつを上書きすることを含む。
【００１０】
さらに、本発明の他の態様は、可動なバリアーオペレータシステムにより得ることができ、システムは、送信機識別コードをそれぞれ有する複数の送信機と、複数の記憶位置を有するメモリー装置を有する制御器とを含み、ある送信機識別コードが他の送信機識別コードに対して優先順位を有し、制御器は、送信機識別コードを受信して記憶位置に記憶し、優先順位をもつ送信機識別コードは他の送信機識別コードにより上書きされない。
【００１１】
本発明のこれらおよび他の目的、ならびに従来技術の態様を超えた利点（以下で記述）は、下述の改良により達成することができる。
【発明を実施するための最良の形態】
【００１２】
本発明の目的、技術、構成を完全に理解するために、以下の記述および添付図面が参照されるべきである。
【００１３】
本発明の思想を組み込むガレージドアオペレータシステムが、図１において、符号10により一般的に示されている。システム10は、符号12により一般的に示されている在来のガレージドアと関連して使用される。ドア12は反ピンチタイプのドアであっても、それでないドアであってもよい。開閉のためにドアが配置されるところの開口部は、符号14により一般的に示されているフレーム14によって囲まれ、このフレームは、図１に示されているように、ほぼ平行かつ床から垂直に上方に伸長する一対の、間隔があけられたわき柱16から成る。わき柱16は間隔があけられ、かつヘッダ18によって上方端部で連結され、ドア12のための開口部の周りに、ほぼ逆U字形状フレーム14を形成している。フレーム14は、ドア12を支持しかつ制御する要素の取り付けを容易にしかつ補強するために、通常は木材または他の構造材料から作られている。
【００１４】
L字形状垂直部材20がわき柱16に固定されているが、この部材20は、わき柱16に取り付けられた脚部22、および各脚部22から直角に伸長する突出脚部24を有する。L字形状垂直部材20はまた、関連する特定のフレームおよびガレージドアに依存した他の形状をもってもよい。各突出脚部24にトラック26が取り付けられ、このトラックは各突出脚部24から直角に伸長する。各トラックはガレージドア12の頂端部から伸長するローラ28を受け入れている。付加的なローラ28がまた、開放位置と閉鎖位置との間での移動を容易にするために、ガレージドアの各セクションの垂直な頂端部に設けられてもよい。
【００１５】
開いた位置と閉じた位置との間で移動するガレージドア12のおもさを釣り合わせるために、符号30で一般的に示されている釣り合いシステムが使用されている。釣り合いシステムの一例が、特許文献１（ここに参考文献として組み込まれる）に開示されている。一般的に、釣り合いシステム30は、図２によく示されているように、オペレータ装置34およびモータ35を含み、ヘッダ18に取り付けられているハウジング32を含む。オペレータハウジング32を貫通して、駆動シャフト36が伸長し、そのシャフトの両端は、各突出脚部24に取り付けられたケーブルドラム38を支持する。特許文献１の特許に説明されている釣り合いスプリングが駆動シャフト36内で支持されている。ヘッダに取り付けられたオペレータ装置が特にここで記載はされるが、以下で記述する制御の特徴は、可動なバリアーとともに使用される他のタイプのオペレータ装置にも等しく適用することができる。
【特許文献１】米国特許第5,419,010号明細書
【００１６】
駆動シャフト36は閉じた位置と開いた位置との間で、ガレージドアを移動するために、必要な機械的な動力を伝える。ハウジング32において、駆動シャフト36は駆動ギアに連結され、駆動ギアは、当業者には周知の方法でモータに連結される。
【００１７】
図１および図２に示されているように、釣り合いシステム30は、ワイヤレスリモート送信機40、無線周波数または赤外線信号を使用して通信することができる、システムに直接配線されている壁ステーション制御器42、およびキーパッド送信機44により制御することができる。壁ステーション制御器42はポータブル送信機40にない任意の付加的な特徴をもってもよい。これらの要素は、アップ/ダウンボタン46に加え、光59を操作する光オン/オフボタン48、時間遅延の閉ボタン50、ペットの高さのボタン52、および送信機プログラムボタン54を含む。キーパッド送信機44はドア/またはバリアーの開閉のために、所定の順序で作動させなければならないアルファベット順のキー56を含む。最小ではあるが、これら三つの送信機すべては、システム30に連結されているドアの開閉動作を行うことができる。本発明がユニット式ガレージドアについて説明はされるが、本発明の教示は、一枚パネルドア、ゲート、窓、格納式オーバーハングのような他のタイプの可動バリアー、および一領域を少なくとも部分的に囲む装置にも等しく適用することができる。
【００１８】
オペレータ装置（図２において、符号34により一般的に示されている）が、ハウジング32内にあり、以下で記述するように、オペレータ装置34に連結されたモータや他の要素の動作をモニターする。電源（図示せず）は、上記要素を付勢するために使用される。オペレータ装置34は必要なソフトウエア、ハードウエア、オペレータ装置34を制御するためのメモリー装置を組み込む制御器60を含む。オペレータ装置34の動作に関連して制御器により利用される情報を恒久的に記憶するための不揮発性メモリー装置62と制御器60とが電気的に通信する。メモリー装置62は、メモリー1、メモリー2などと識別される限定した数の記憶位置63a−f（これらはオペレータ装置で突き止められる送信機のタイプに関連したコードを記憶するために使用される）を有することができる。既存のオペレータシステムのほとんどでは、連続番号に対して六つのみの記憶位置が与えられる。もちろん、どの数の記憶位置も利用することができる。
【００１９】
赤外線および/または無線周波数信号が受信機70により受信され、その受信機は制御器内に含まれるデコーダに、受信情報を送信する。送信機から送られたコードは制御器により認識される連続番号を有する。送信機の各タイプは、制御器により区別可能な、予め指定された範囲の連続番号を有する。言い換えると、制御器はまた、送信がキーパッド、壁ステーションまたはポータブル送信機からによるかを判断することができる。いずれにせよ、制御器60は受信した無線周波数信号または他のタイプのワイヤレス信号を利用可能な形式に変換する。適切なアンテナが、所望の信号を受信するため、受信機70により利用されることが分かるであろう。制御器62が、壁ステーション42aへの直接的な接続のように、直接的な電線ソースからの送信タイプの信号を、直接受信することができることは分かるであろう。壁ステーション42（またはキーパッド44）がオペレータ装置34に有線で接続されるか、RF信号を送るかであることは当業者であれば分かるであろう。好適実施例では、壁ステーションは有線でもワイヤレスでもよいが、両方のものであってはならない。有線の装置は直接信号を制御器に送るので、メモリー装置に装置の連続番号を記憶する必要はない。したがって、ワイヤレス装置からの連続番号のみがオペレータ装置により突き止められ、メモリー装置62に記憶される。多数のリモート送信機40a−xが、受信機70により受信され、さらに必要に応じて、制御器により処理される信号を送信することができる。同様に、壁ステーション40a−x、キーパッド44が多数あってもよい。どの送信機から受信した信号も受け入れ可能で、メモリー装置62に記憶されると、制御器60はモータ35（モータは順に、駆動シャフト36を回転させ、可動なバリアーを開閉する）の付勢などの所望の機能を実行する適切な電気信号を発生する。独立してまたは開閉サイクルが開始したとき、スイッチがオン、オフすることができる光源59がまた制御器60に接続される。
【００２０】
図３において、特定の送信機の、突き止められた送信機コードを保護する方法が符号100により一般的に示されている。最初に、オペレータ装置が工程102において突き止めモードとなる。突き止めモードは多数のいろいろな方法でなし得ることは当業者には明らかであろう。たとえば、オペレータ装置は、オペレータ装置と直接関連したボタンを押すことにより、直接突き止めモードとなる。これに代えて、ワイヤレス装置が、ワイヤレス装置からの、所定のボタンまたは一連のボタンの作動により、オペレータ装置を突き止めモードにするために、使用されてもよい。突き止めモードが、赤外線または他の共通して使用されるワイヤレス信号により、ワイヤレス信号をオペレータ装置に送信する送信機を突き止めることは分かるであろう。
【００２１】
前述したように、壁ステーションタイプの送信機は、オペレータ装置に対する送信機をプログラムする重要な機能をもつ。したがって、壁ステーション送信機は、オペレータ装置の全能力に関連し、壁ステーション送信機がオペレータ装置のメモリーから上書きされ、または消去されないことが重要なことである。言い換えると、オペレータ装置により維持される全ての記憶位置がいろいろなタイプの送信機で占められ、ユーザが新しいポータブル送信機をプログラムするとき、ポータブル送信機、さらにキーパッド送信機と関連したコードが壁ステ―ション送信機に関連したコードを消さないことが望ましい。このことが生じると、消されたコードに関連した壁ステーション送信機はもはや送信機とともに作動せず、他の要素も不能となる。ユーザは、オペレータ構成のメモリーの全てを消去し、オペレータ装置への送信機を再度突き止める必要がある。
【００２２】
各タイプの送信機がそれ自身優先順位を有してもよいことは分かるであろう。たとえば、壁ステーション送信機が最も高い優先順位をもち、キーパッド送信機が、その壁ステーション送信機より低い優先順位をもってもよい。ポータブル送信機は、全ての送信機で最も低い優先順位をもってもよい。したがって、新しいキーパッド識別コード（TIC）が、ポータブルTICを上書きするが壁ステーション送信機TICにはそうしない。同様に、新しい壁ステーション送信機TICが常にポータブル送信機TICを上書きし、唯一キーパッドTICおよび壁ステーション送信機TICが記憶されるとき、新しい壁ステーション送信機TICがキーパッドTICのひとつを上書きする。もちろん、送信機の階層は変えても、補充してもよい。多数の優先順位は使用される、異なるタイプの送信機のタイプに対応して設定される。
【００２３】
オペレータ装置が工程102において突き止めモードになると、オペレータ装置に関連し、突き止められる新しいタイプの送信機コードが工程104において受信される。
【００２４】
すべての記憶位置が満たされていないとき、工程108において、制御器は、壁ステーション送信機コードが受信されたかどうかを判定する。壁ステーション送信機コードが受信されないと、コードはポータブル送信機またはキーパッド送信機からのものとされ、コードは工程110で位置63a−fのひとつに記憶される。しかし、工程108で壁ステーション送信機コードが送信されたと判定されると、工程112において、コードは、上書き防止とともに、利用可能な記憶位置63a−fのひとつに記憶される。
【００２５】
工程106では、すべての記憶位置63が占められていると、工程114において、制御器は、壁ステーション送信機コードが受信されたかどうかを判定する。壁ステーション送信機コードが受信されないと、制御器は工程116で、上書き防止のあるコードが複数の記憶位置63に残存しているかどうかを決定する。上書き防止のないコードがあると、制御器は工程118において、その新しいコードを上書き防止のない記憶位置63のひとつに上書きし、記憶される。しかし、工程116で、上書き防止のないコードがないと、制御器は工程120で、コードを拒絶する。
【００２６】
工程114では、壁ステーション送信機コードが受信されたと制御器が判定すると、工程122で、制御器は、複数の記憶位置63a−fに記憶されたコードのどれもが保護コードを含むかどうかを判定する。上書き防止のないコードがないと、制御器は工程120でコードを拒絶する。しかし、工程122で、上書き防止のないコードがあると、制御器は工程124で新しい壁ステーション送信機コードを上書き防止とともに、上書き防止のないコードに対して上書きし、記憶する。
【００２７】
工程110、112、118、120または124において完了すると、プロセスは工程104に戻り、突き止めモードの間、新しい送信機モードの受領を待機する。
【００２８】
上記に基づき、上記システムが、壁ステーション送信機が突き止めモードの間、誤って上書きされることはないことから、利点をもつことは明らかである。受信機はまた、各装置の、恒久的に埋め込まれた連続番号により、ポータブル送信機またはキーパッド送信機と壁ステーション送信機とを区別することができる。言い換えると、各送信機（ポータブル、キーパッドまたは壁ステーション）は、設計に際して付された特定に連続番号の範囲をもつ。したがって、すべての受信機の記憶位置が壁ステーションのもので完全に占められると、どのタイプの追加の送信機も突き止められない。したがって、壁ステーション送信機コードが、誤って消され、ガレージドアシステムのユーザにより必要とされる特定の機能をオペレータ装置が機能しなくなる。
【００２９】
したがって、本発明のひとつ以上の目的は、上記の構成および方法により達成されることは分かるであろう。法令にしたがって、最良の実施例が詳説されているが、本発明はこれに限定されない。したがって、本発明の範囲の評価は特許請求の範囲に基づく。
【図面の簡単な説明】
【００３０】
【図１】図１は、セクショナル・ガレージドアを描き、本発明の思想を実施する、動作装置を示す部分斜視図である。
【図２】図２は、本発明を実施したオペレータ装置のブロック図である。
【図３】図３は、特定のタイプの送信機と関連付けられた送信機コードを保護するためのオペレータ装置により用いられる、動作フローチャートである。
【図１】
2005527164.tif 000003
【図２】
2005527164.tif 000004
【図３】
2005527164.tif 000005
【国際調査報告】
2005527164.tif 000006
2005527164.tif 000007